(57)【要約】【課題】片面プリント基板であってもループパターンを跨いでその内側の基板領域と外側の基板領域とを別途ジャンパーを設けることなく電気的に接続可能とすることにより、コストダウンを図ることのできるＲＦＩＤ用アンテナ及びその製造方法を提供する。【解決手段】片面ＦＰＣ１０には所定形状の開口２１が設けられて折曲げ片２３が形成され、第２の接合用パッド１９が折曲げ片２３の先端部に位置する。開口２１は第２の接合用パッド１９をコの字状ないしＵ字状に囲む。折曲げ片２３は第１の接合用パッド１８と第２の接合用パッド１９とが当接するように折り曲げられる。この状態で第１及び第２の接合用パッド１８，１９が例えば半田付けにより相互に電気的に接合される。これによりループパターン１２を跨いでその内側の基板領域と外側の基板領域とが電気的に接続される。【選択図】図１
2010063081.tif 000002
【特許請求の範囲】
【請求項１】
ループパターンと、前記ループパターンの内側又は外側のいずれか一方に位置する第１及び第２の接続用端子部と、第１及び第２の接合用パッドとが形成された片面フレキシブルプリント基板を備え、
前記ループパターンの一端は前記第１の接続用端子部に接続され、前記ループパターンの他端は前記第１の接合用パッドに接続され、前記第２の接合用パッドは前記第２の接続用端子部に接続され、前記片面フレキシブルプリント基板に所定形状の切込み又は開口が設けられて折曲げ片が形成され、前記第１及び第２の接合用パッドのいずれかが前記折曲げ片に位置し、前記折曲げ片は前記第１の接合用パッドと前記第２の接合用パッドとが当接するように折り曲げられ、前記第１及び第２の接合用パッドが相互に電気的に接合されている、ＲＦＩＤ用アンテナ。
【請求項２】
請求項１に記載のＲＦＩＤ用アンテナにおいて、前記切込み又は前記開口は、前記第１及び第２の接合用パッドのいずれかをコの字状ないしＵ字状に囲むように設けられている、ＲＦＩＤ用アンテナ。
【請求項３】
請求項１又は２に記載のＲＦＩＤ用アンテナにおいて、前記折曲げ片の折曲げ位置の両側に分かれて位置するように第１及び第２の予備接合用パッドが前記ループパターンの内側又は外側のいずれか一方に形成され、前記第１及び第２の予備接合用パッドが相互に電気的に接合され、前記折曲げ位置を通過しない接続経路が形成されている、ＲＦＩＤ用アンテナ。
【請求項４】
請求項１から３のいずれかに記載のＲＦＩＤ用アンテナにおいて、
前記片面フレキシブルプリント基板は、前記第１及び第２の接合用パッドの各々と所定の位置関係となるように第１及び第２の位置決め孔がそれぞれ前記第１及び第２の接合用パッドの近傍に設けられ、
前記第１及び第２の位置決め孔の位置が一致するように前記折曲げ片が折り曲げられている、ＲＦＩＤ用アンテナ。
【請求項５】
ループパターンと、前記ループパターンの内側又は外側のいずれか一方に位置する第１及び第２の接続用端子部と、第１及び第２の接合用パッドとが形成された片面フレキシブルプリント基板を備え、
前記ループパターンの一端は前記第１の接続用端子部に接続され、前記ループパターンの他端は前記第１の接合用パッドに接続され、前記第２の接合用パッドは前記第２の接続用端子部に接続され、前記片面フレキシブルプリント基板は外周から部分的に延長する延長片を有し、前記第１及び第２の接合用パッドのいずれかが前記延長片に位置し、前記延長片は前記第１の接合用パッドと前記第２の接合用パッドとが当接するように折り曲げられ、前記第１及び第２の接合用パッドが相互に電気的に接合されている、ＲＦＩＤ用アンテナ。
【請求項６】
請求項５に記載のＲＦＩＤ用アンテナにおいて、前記延長片の折曲げ位置の両側に分かれて位置するように第１及び第２の予備接合用パッドが前記ループパターンの外側に形成され、前記第１及び第２の予備接合用パッドが相互に電気的に接合され、前記折曲げ位置を通過しない接続経路が形成されている、ＲＦＩＤ用アンテナ。
【請求項７】
請求項５又は６に記載のＲＦＩＤ用アンテナにおいて、
前記片面フレキシブルプリント基板は、前記第１及び第２の接合用パッドの各々と所定の位置関係となるように第１及び第２の位置決め孔がそれぞれ前記第１及び第２の接合用パッドの近傍に設けられ、
前記第１及び第２位置決め孔の位置が一致するように前記延長片が折り曲げられている、ＲＦＩＤ用アンテナ。
【請求項８】
ループパターンと、前記ループパターンの内側又は外側のいずれか一方に位置する第１及び第２の接続用端子部と、第１乃至第４の接合用パッドとが形成され、前記第３及び第４の接合用パッドの存在位置を含む一部が切り取られて切取り片とされている、片面プリント基板を備え、
前記ループパターンの一端は前記第１の接続用端子部に接続され、前記ループパターンの他端は前記第１の接合用パッドに接続され、前記第２の接合用パッドは前記第２の接続用端子部に接続され、前記切取り片において前記第３の接合用パッドと前記第４の接合用パッドとが接続され、
前記第１の接合用パッドと前記第３の接合用パッドとが当接し、かつ前記第２の接合用パッドと前記第４の接合用パッドとが当接するように前記切取り片が位置し、前記第１及び第３の接合用パッドが相互に電気的に接合され、前記第２及び第４の接合用パッドが相互に電気的に接合されている、ＲＦＩＤ用アンテナ。
【請求項９】
ループパターンと、前記ループパターンの内側又は外側のいずれか一方に位置する第１及び第２の接続用端子部と、第１乃至第４の接合用パッドとが形成された片面プリント基板を備え、
前記ループパターンの一端は前記第１の接続用端子部に接続され、前記ループパターンの他端は前記第１の接合用パッドに接続され、前記第２の接合用パッドは前記第２の接続用端子部に接続され、前記片面プリント基板に所定形状の切込み又は開口が設けられて切取り自在となっている切取り片が形成され、前記第３及び第４の接合用パッドが前記切取り片に位置して相互に接続されている、ＲＦＩＤ用アンテナ。
【請求項１０】
請求項９に記載のＲＦＩＤ用アンテナにおいて、前記第１及び第２の接合用パッド間の距離と、前記第３及び第４の接合用パッド間の距離とが略等しい、ＲＦＩＤ用アンテナ。
【請求項１１】
請求項１から１０のいずれかに記載のＲＦＩＤ用アンテナにおいて、共振周波数調整用のコンデンサが前記第１及び第２の接続用端子部の間に設けられている、ＲＦＩＤ用アンテナ。
【請求項１２】
ループパターンと、前記ループパターンの内側又は外側のいずれか一方に位置する第１及び第２の接続用端子部と、第１乃至第４の接合用パッドとが形成された片面プリント基板を用い、ＲＦＩＤ用アンテナを製造する方法であり、
前記ループパターンの一端は前記第１の接続用端子部に接続され、前記ループパターンの他端は前記第１の接合用パッドに接続され、前記第２の接合用パッドは前記第２の接続用端子部に接続され、前記片面プリント基板に所定形状の切込み又は開口が設けられて切取り自在となっている切取り片が形成され、前記第３及び第４の接合用パッドが前記切取り片に位置して相互に接続されていて、
本方法は、
前記切取り片を前記片面プリント基板から切り取る工程と、
切り取った前記切取り片を、前記第１の接合用パッドと前記第３の接合用パッドとが当接し、かつ前記第２の接合用パッドと前記第４の接合用パッドとが当接するように配置し、前記第１及び第３の接合用パッドを相互に電気的に接合し、前記第２及び第４の接合用パッドを相互に電気的に接合する工程とを有する、ＲＦＩＤ用アンテナの製造方法。
【発明の詳細な説明】
【技術分野】
【０００１】
本発明は、片面フレキシブルプリント基板や片面硬質プリント基板等の片面プリント基板に形成されるＲＦＩＤ用アンテナ(ＲＦＩＤ：Radio Frequency IDentification)及びその製造方法に関する。
【背景技術】
【０００２】
近年、ＲＦＩＤ技術を用いた無線通信システムが注目されている。この通信システムは一般に、各種データを記憶可能なデータキャリアと、このデータキャリアに対して非接触で情報の読み書き（リード／ライト）を行なうリーダライタとで構成される。データキャリアは、その形状や大きさ等に応じてＲＦＩＤタグ（無線ＩＣタグ）あるいは非接触ＩＣカード等と呼ばれ（以下では、総称して「非接触ＩＣカード」と呼ぶ）、最近では携帯電話に内蔵されるケースも多くなっている。この非接触ＩＣカードに利用される無線周波数帯としては、１３５ｋＨｚ以下の帯域、１３．５６ＭＨｚ帯、及び２．４５ＧＨｚ帯等がある。この非接触ＩＣカードは、使用者にとって取り扱いが容易であること等から、最近では交通機関の自動改札機等、各種入退出管理に利用されている。またその他にも、電子マネーや物品管理等への応用も検討されている。
【０００３】
これら非接触ＩＣカード及びリーダライタは、一般にループ状アンテナ（アンテナコイル）を内蔵していて、リーダライタのアンテナが発する磁場を介して電磁誘導により非接触ＩＣカードに電力を供給し、非接触ＩＣカードに対するデータのリード／ライトを実行する。ここで、非接触ＩＣカード及びリーダライタのアンテナの共振周波数を調整するために、アンテナコイルと並列にコンデンサを設けることが従来から行われている（例えば下記特許文献１又は２参照）。
【特許文献１】特開２００３−２２４４１５号公報
【特許文献２】特開２００５−２５９１５３号公報
【０００４】
共振周波数調整用にアンテナコイルと並列に表面実装タイプのチップコンデンサを設ける場合、配線の都合上、アンテナコイルを成すループパターンを跨いでその内側の基板領域と外側の基板領域とを電気的に接続する必要がある。このため、上記特許文献１では、図１０に示すように、基板の裏面に配線パターンを形成することによりループパターンを跨いでその内側の基板領域と外側の基板領域とを電気的に接続している。あるいは、下記特許文献３のように、別途ジャンパーを設けることによりループパターンを跨いでその内側の基板領域と外側の基板領域とを電気的に接続することも行われている。
【特許文献３】特開２００２−３５８４９１号公報
【０００５】
なお、ループパターンを跨いでその内側の基板領域と外側の基板領域とを電気的に接続することは、共振周波数調整用に表面実装タイプのチップコンデンサを設ける場合に限らず、ループパターンを形成した基板を例えばコネクタに差し込むようにする場合等、配線の都合上２つの接点の双方をループパターンの内側もしくは外側のいずれか一方に設けなければならない場合に必要となる。
【発明の開示】
【発明が解決しようとする課題】
【０００６】
ループパターンを跨いでその内側の基板領域と外側の基板領域とを電気的に接続するために上記特許文献１又は２のように基板の裏面に配線パターンを形成する場合、両面基板を用いる必要がありコスト高である。また、上記特許文献３のように別途ジャンパーを設ける場合、部品点数が増加してコスト高となる。
【０００７】
本発明はこうした状況を認識してなされたものであり、その目的は、片面フレキシブルプリント基板や片面硬質プリント基板等の片面プリント基板であってもループパターンを跨いでその内側の基板領域と外側の基板領域とを別途ジャンパーを設けることなく電気的に接続可能とすることにより、コストダウンを図ることのできるＲＦＩＤ用アンテナ及びその製造方法を提供することにある。
【課題を解決するための手段】
【０００８】
本発明の第１の態様は、ＲＦＩＤ用アンテナである。このＲＦＩＤ用アンテナは、
ループパターンと、前記ループパターンの内側又は外側のいずれか一方に位置する第１及び第２の接続用端子部と、第１及び第２の接合用パッドとが形成された片面フレキシブルプリント基板を備え、
前記ループパターンの一端は前記第１の接続用端子部に接続され、前記ループパターンの他端は前記第１の接合用パッドに接続され、前記第２の接合用パッドは前記第２の接続用端子部に接続され、前記片面フレキシブルプリント基板に所定形状の切込み又は開口が設けられて折曲げ片が形成され、前記第１及び第２の接合用パッドのいずれかが前記折曲げ片に位置し、前記折曲げ片は前記第１の接合用パッドと前記第２の接合用パッドとが当接するように折り曲げられ、前記第１及び第２の接合用パッドが相互に電気的に接合されている。
【０００９】
第１の態様のＲＦＩＤ用アンテナにおいて、前記切込み又は前記開口は、前記第１及び第２の接合用パッドのいずれかをコの字状ないしＵ字状に囲むように設けられているとよい。
【００１０】
第１の態様のＲＦＩＤ用アンテナにおいて、前記折曲げ片の折曲げ位置の両側に分かれて位置するように第１及び第２の予備接合用パッドが前記ループパターンの内側又は外側のいずれか一方に形成され、前記第１及び第２の予備接合用パッドが相互に電気的に接合され、前記折曲げ位置を通過しない接続経路が形成されているとよい。
【００１１】
第１の態様のＲＦＩＤ用アンテナにおいて、
前記片面フレキシブルプリント基板は、前記第１及び第２の接合用パッドの各々と所定の位置関係となるように第１及び第２の位置決め孔がそれぞれ前記第１及び第２の接合用パッドの近傍に設けられ、
前記第１及び第２の位置決め孔の位置が一致するように前記折曲げ片が折り曲げられているとよい。
【００１２】
本発明の第２の態様も、ＲＦＩＤ用アンテナである。このＲＦＩＤ用アンテナは、
ループパターンと、前記ループパターンの内側又は外側のいずれか一方に位置する第１及び第２の接続用端子部と、第１及び第２の接合用パッドとが形成された片面フレキシブルプリント基板を備え、
前記ループパターンの一端は前記第１の接続用端子部に接続され、前記ループパターンの他端は前記第１の接合用パッドに接続され、前記第２の接合用パッドは前記第２の接続用端子部に接続され、前記片面フレキシブルプリント基板は外周から部分的に延長する延長片を有し、前記第１及び第２の接合用パッドのいずれかが前記延長片に位置し、前記延長片は前記第１の接合用パッドと前記第２の接合用パッドとが当接するように折り曲げられ、前記第１及び第２の接合用パッドが相互に電気的に接合されている。
【００１３】
第２の態様のＲＦＩＤ用アンテナにおいて、前記延長片の折曲げ位置の両側に分かれて位置するように第１及び第２の予備接合用パッドが前記ループパターンの外側に形成され、前記第１及び第２の予備接合用パッドが相互に電気的に接合され、前記折曲げ位置を通過しない接続経路が形成されているとよい。
【００１４】
第２の態様のＲＦＩＤ用アンテナにおいて、
前記片面フレキシブルプリント基板は、前記第１及び第２の接合用パッドの各々と所定の位置関係となるように第１及び第２の位置決め孔がそれぞれ前記第１及び第２の接合用パッドの近傍に設けられ、
前記第１及び第２位置決め孔の位置が一致するように前記延長片が折り曲げられているとよい。
【００１５】
本発明の第３の態様も、ＲＦＩＤ用アンテナである。このＲＦＩＤ用アンテナは、
ループパターンと、前記ループパターンの内側又は外側のいずれか一方に位置する第１及び第２の接続用端子部と、第１乃至第４の接合用パッドとが形成され、前記第３及び第４の接合用パッドの存在位置を含む一部が切り取られて切取り片とされている、片面プリント基板を備え、
前記ループパターンの一端は前記第１の接続用端子部に接続され、前記ループパターンの他端は前記第１の接合用パッドに接続され、前記第２の接合用パッドは前記第２の接続用端子部に接続され、前記切取り片において前記第３の接合用パッドと前記第４の接合用パッドとが接続され、
前記第１の接合用パッドと前記第３の接合用パッドとが当接し、かつ前記第２の接合用パッドと前記第４の接合用パッドとが当接するように前記切取り片が位置し、前記第１及び第３の接合用パッドが相互に電気的に接合され、前記第２及び第４の接合用パッドが相互に電気的に接合されている。
【００１６】
本発明の第４の態様も、ＲＦＩＤ用アンテナである。このＲＦＩＤ用アンテナは、
ループパターンと、前記ループパターンの内側又は外側のいずれか一方に位置する第１及び第２の接続用端子部と、第１乃至第４の接合用パッドとが形成された片面プリント基板を備え、
前記ループパターンの一端は前記第１の接続用端子部に接続され、前記ループパターンの他端は前記第１の接合用パッドに接続され、前記第２の接合用パッドは前記第２の接続用端子部に接続され、前記片面プリント基板に所定形状の切込み又は開口が設けられて切取り自在となっている切取り片が形成され、前記第３及び第４の接合用パッドが前記切取り片に位置して相互に接続されている。
【００１７】
第４の態様のＲＦＩＤ用アンテナにおいて、前記第１及び第２の接合用パッド間の距離と、前記第３及び第４の接合用パッド間の距離とが略等しいとよい。
【００１８】
第１乃至第４の態様のＲＦＩＤ用アンテナにおいて、共振周波数調整用のコンデンサが前記第１及び第２の接続用端子部の間に設けられているとよい。
【００１９】
本発明の第５の態様は、ＲＦＩＤ用アンテナの製造方法である。この方法は、
ループパターンと、前記ループパターンの内側又は外側のいずれか一方に位置する第１及び第２の接続用端子部と、第１乃至第４の接合用パッドとが形成された片面プリント基板を用い、ＲＦＩＤ用アンテナを製造する方法であり、
前記ループパターンの一端は前記第１の接続用端子部に接続され、前記ループパターンの他端は前記第１の接合用パッドに接続され、前記第２の接合用パッドは前記第２の接続用端子部に接続され、前記片面プリント基板に所定形状の切込み又は開口が設けられて切取り自在となっている切取り片が形成され、前記第３及び第４の接合用パッドが前記切取り片に位置して相互に接続されていて、
本方法は、
前記切取り片を前記片面プリント基板から切り取る工程と、
切り取った前記切取り片を、前記第１の接合用パッドと前記第３の接合用パッドとが当接し、かつ前記第２の接合用パッドと前記第４の接合用パッドとが当接するように配置し、前記第１及び第３の接合用パッドを相互に電気的に接合し、前記第２及び第４の接合用パッドを相互に電気的に接合する工程とを有する。
【００２０】
なお、以上の構成要素の任意の組合せ、本発明の表現を方法やシステムなどの間で変換したものもまた、本発明の態様として有効である。
【発明の効果】
【００２１】
本発明の第１の態様によれば、片面フレキシブルプリント基板に所定形状の切込み又は開口が設けられて折曲げ片が形成され、前記折曲げ片は第１の接合用パッドと第２の接合用パッドとが当接するように折り曲げられ、前記第１及び第２の接合用パッドが相互に電気的に接合されているので、片面フレキシブルプリント基板であってもループパターンを跨いでその内側の基板領域と外側の基板領域とを別途ジャンパーを設けることなく電気的に接続することが可能となり、コストダウンを図ることができる。
【００２２】
本発明の第２の態様によれば、片面フレキシブルプリント基板は外周から部分的に延長する延長片を有し、前記延長片は第１の接合用パッドと第２の接合用パッドとが当接するように折り曲げられ、前記第１及び第２の接合用パッドが相互に電気的に接合されているので、片面フレキシブルプリント基板であってもループパターンを跨いでその内側の基板領域と外側の基板領域とを別途ジャンパーを設けることなく電気的に接続することが可能となり、コストダウンを図ることができる。
【００２３】
本発明の第３の態様によれば、片面プリント基板は一部が切り取られて切取り片とされ、前記切取り片において第３の接合用パッドと第４の接合用パッドとが接続され、第１の接合用パッドと前記第３の接合用パッドとが当接し、かつ第２の接合用パッドと前記第４の接合用パッドとが当接するように前記切取り片が位置し、前記第１及び第３の接合用パッドが相互に電気的に接合され、前記第２及び第４の接合用パッドが相互に電気的に接合されているので、片面プリント基板であってもループパターンを跨いでその内側の基板領域と外側の基板領域とを別途ジャンパーを設けることなく電気的に接続することが可能となり、コストダウンを図ることができる。
【００２４】
本発明の第４の態様によれば、片面プリント基板に所定形状の切込み又は開口が設けられて切取り自在となっている切取り片が形成され、第３及び第４の接合用パッドが前記切取り片に位置して相互に接続されているので、前記切取り片を切り取って第１及び第２の接合用パッド間を渡すことで、片面プリント基板であってもループパターンを跨いでその内側の基板領域と外側の基板領域とを別途ジャンパーを設けることなく電気的に接続することが可能となり、コストダウンを図ることができる。
【００２５】
本発明の第５の態様によれば、片面プリント基板に所定形状の切込み又は開口が設けられて切取り自在となっている切取り片において第３及び第４の接合用パッドが相互に接続されているので、前記切取り片を前記片面プリント基板から切り取る工程と、第１の接合用パッドと前記第３の接合用パッドとが当接し、かつ第２の接合用パッドと前記第４の接合用パッドとが当接するように前記切取り片を配置し、前記第１及び第３の接合用パッドを相互に電気的に接合し、前記第２及び第４の接合用パッドを相互に電気的に接合する工程とにより、片面プリント基板であってもループパターンを跨いでその内側の基板領域と外側の基板領域とを別途ジャンパーを設けることなく電気的に接続することが可能となり、コストダウンを図ることができる。
【図面の簡単な説明】
【００２６】
【図１】本発明の第１の実施の形態に係るＲＦＩＤ用アンテナの構成を示す例示的な概略斜視図であり、(Ａ)は折曲げ前の未完成状態、(Ｂ)は折曲げ後の完成状態。
【図２】本発明の第２の実施の形態に係るＲＦＩＤ用アンテナの構成を示す例示的な概略斜視図であり、(Ａ)は折曲げ前の未完成状態、(Ｂ)は折曲げ後の完成状態。
【図３】本発明の第３の実施の形態に係るＲＦＩＤ用アンテナの構成を示す例示的な概略斜視図であり、(Ａ)は折曲げ前の未完成状態、(Ｂ)は折曲げ後の完成状態。
【図４】本発明の第４の実施の形態に係るＲＦＩＤ用アンテナの構成を示す例示的な概略斜視図であり、(Ａ)は折曲げ前の未完成状態、(Ｂ)は折曲げ後の完成状態。
【図５】本発明の第５の実施の形態に係るＲＦＩＤ用アンテナの構成を示す例示的な概略斜視図であり、(Ａ)は折曲げ前の未完成状態、(Ｂ)は折曲げ後の完成状態。
【図６】本発明の第６の実施の形態に係るＲＦＩＤ用アンテナの構成を示す例示的な概略斜視図であり、(Ａ)は折曲げ前の未完成状態、(Ｂ)は折曲げ後の完成状態。
【図７】本発明の第７の実施の形態に係るＲＦＩＤ用アンテナの構成を示す例示的な概略斜視図であり、(Ａ)は折曲げ前の未完成状態、(Ｂ)は折曲げ後の完成状態。
【図８】本発明の第８の実施の形態に係るＲＦＩＤ用アンテナの構成を示す例示的な概略斜視図であり、(Ａ)は切取り前の未完成状態、(Ｂ)は切取り後の完成状態。
【図９】同実施の形態に関し、切取り片の形成位置の別の例を示す概略斜視図。
【図１０】従来のＲＦＩＤ用アンテナの構成を示す概略斜視図。
【発明を実施するための最良の形態】
【００２７】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００２８】
（第１の実施の形態）
図１(Ａ)，(Ｂ)は、本発明の第１の実施の形態に係るＲＦＩＤ用アンテナ１００の構成を示す例示的な概略斜視図である。なお、図１(Ａ)は折曲げ前の未完成状態を、同図(Ｂ)は折曲げ後の完成状態をそれぞれ示している。
【００２９】
ＲＦＩＤ用アンテナ１００は、アンテナ本体部分を成すループパターン１２と、第１の接続用端子部１４と、第２の接続用端子部１６と、第１の接合用パッド１８と、第２の接合用パッド１９とが形成された片面ＦＰＣ１０（片面フレキシブルプリント基板。ＦＰＣ：Flexible Printed Circuit）を備え、この片面ＦＰＣ１０上にチップコンデンサ１３が搭載されている。
【００３０】
ループパターン１２は例えば銅からなる導体パターンであり、ループパターン１２の内側にチップコンデンサ１３を搭載するためのパッド（図示せず）と、第１及び第２の接続用端子部１４，１６と、第２の接合用パッド１９（折曲げ前）とが形成され、ループパターン１２の外側に第１の接合用パッド１８が形成されている。なお、片面ＦＰＣ１０の表面はポリイミド等のカバーフィルムで全体的に覆われて絶縁され、第１及び第２の接続用端子部１４，１６と、第１及び第２の接合用パッド１８，１９の部分のみ導体（例えば銅箔）が露出する。
【００３１】
チップコンデンサ１３は、ＲＦＩＤ用アンテナ１００の共振周波数を例えば１３．５６ＭＨｚ付近に調整するために、第１及び第２の接続用端子部１４，１６の間に複数（例えば３つ）並列に設けられる。必要に応じて所定数のチップコンデンサ１３の両端の配線パターンを切断することで、共振周波数を事後的に調整可能である。ループパターン１２の一端（内側の端部）は第１の接続用端子部１４に接続され、ループパターン１２の他端（外側の端部）は第１の接合用パッド１８に接続され、第２の接合用パッド１９は第２の接続用端子部１６に接続される。
【００３２】
片面ＦＰＣ１０には所定形状の開口２１が設けられて折曲げ片２３が形成され、第２の接合用パッド１９が折曲げ片２３の好ましくは先端部に位置する。開口２１は好ましくは第２の接合用パッド１９をコの字状ないしＵ字状に囲むものとする。折曲げ片２３は第１の接合用パッド１８と第２の接合用パッド１９とが当接するように折り曲げられる。この状態で第１及び第２の接合用パッド１８，１９が例えば半田付けや熱圧着（スポット的な加熱による溶着）、導電性接着剤により相互に電気的に接合される。これによりループパターン１２を跨いでその内側の基板領域と外側の基板領域とが電気的に接続されることとなる。
【００３３】
このように本実施の形態によれば、ループパターン１２を跨いでその内側の基板領域と外側の基板領域とを電気的に接続するために特許文献１又は２のように基板の裏面に配線パターンを形成する必要がなく、また特許文献３のように別途ジャンパーを設ける必要もない。すなわち、片面ＦＰＣであってもループパターンを跨いでその内側の基板領域と外側の基板領域とを別途ジャンパーを設けることなく電気的に接続することが可能となり、コストダウンを図ることができる。
【００３４】
（第２の実施の形態）
図２(Ａ)，(Ｂ)は、本発明の第２の実施の形態に係るＲＦＩＤ用アンテナ２００の構成を示す例示的な概略斜視図である。なお、図２(Ａ)は折曲げ前の未完成状態を、同図(Ｂ)は折曲げ後の完成状態をそれぞれ示している。本実施の形態のＲＦＩＤ用アンテナ２００は、第１の実施の形態のＲＦＩＤ用アンテナ１００と比較して、折曲げ片２３を形成するために開口２１の代わりに切込み２２が片面ＦＰＣ１０に設けられている点で相違し、その他の点で一致する。本実施の形態も第１の実施の形態と同様の効果を奏する。
【００３５】
（第３の実施の形態）
図３(Ａ)，(Ｂ)は、本発明の第３の実施の形態に係るＲＦＩＤ用アンテナ３００の構成を示す例示的な概略斜視図である。なお、図３(Ａ)は折曲げ前の未完成状態を、同図(Ｂ)は折曲げ後の完成状態をそれぞれ示している。本実施の形態のＲＦＩＤ用アンテナ３００は、第１の実施の形態のＲＦＩＤ用アンテナ１００の構成に加え、第１の予備接合用パッド３８と第２の予備接合用パッド３９とが折曲げ片２３の折曲げ位置の両側に分かれて位置するようにループパターン１２の内側に（第２の接続用端子部１６と第２の接合用パッド１９とを結ぶパターン上に）形成され、第１及び第２の予備接合用パッド３８，３９が相互に電気的に接合されている。これにより、第１及び第２の接合用パッド１８，１９とループパターン１２の内側（第２の接続用端子部１６）とが第１及び第２の予備接合用パッド３８，３９を介して接続される（すなわち折曲げ位置を通過せずに折曲げ位置の両側を接続する経路が形成される）こととなる。第２の予備接合用パッド３９は好ましくは折曲げ片２３の基部に位置する。
【００３６】
折曲げ片２３のの折曲げ位置では導体パターンの断線が懸念されるが、本実施の形態によれば、第１及び第２の接合用パッド１８，１９とループパターン１２の内側の基板領域（第２の接続用端子部１６）とが第１及び第２の予備接合用パッド３８，３９を介して接続されるため、仮に片面ＦＰＣ１０の折曲げ位置で導体パターンの断線が生じても、第１及び第２の接合用パッド１８，１９とループパターン１２の内側の基板領域（第２の接続用端子部１６）との電気的接続は確保される。したがって、本実施の形態によれば、第１の実施の形態の効果に加えてさらに、不良品発生率の低下が期待できる。なお、上述の第２の実施の形態においても本実施の形態と同様に第１及び第２の予備接合用パッド３８，３９を形成することで、同様の効果をさらに奏することができる。
【００３７】
（第４の実施の形態）
図４(Ａ)，(Ｂ)は、本発明の第４の実施の形態に係るＲＦＩＤ用アンテナ４００の構成を示す例示的な概略斜視図である。なお、図４(Ａ)は折曲げ前の未完成状態を、同図(Ｂ)は折曲げ後の完成状態をそれぞれ示している。本実施の形態のＲＦＩＤ用アンテナ４００は、第１の実施の形態のＲＦＩＤ用アンテナ１００と比較して、片面ＦＰＣ１０が折曲げ片２３に代えて外周から所定幅で部分的に延長する（出っ張っている）延長片４１を有し、第１の接合用パッド１８が延長片４１の好ましくは先端部に位置し、第１の接合用パッド１８と第２の接合用パッド１９とが当接するように延長片４１が折り曲げられている点で相違し、その他の点で一致する。本実施の形態も第１の実施の形態と同様の効果を奏する。なお、本実施の形態の場合、第１の実施の形態と比較して、延長片４１の分だけコスト面では不利となるものの、ループパターン１２の面積を広くすることが可能となるため性能面では有利となる。
【００３８】
（第５の実施の形態）
図５(Ａ)，(Ｂ)は、本発明の第５の実施の形態に係るＲＦＩＤ用アンテナ５００の構成を示す例示的な概略斜視図である。なお、図５(Ａ)は折曲げ前の未完成状態を、同図(Ｂ)は折曲げ後の完成状態をそれぞれ示している。本実施の形態のＲＦＩＤ用アンテナ５００は、第４の実施の形態のＲＦＩＤ用アンテナ４００の構成に加え、第１の予備接合用パッド５８と第２の予備接合用パッド５９とが延長片４１の折曲げ位置の両側に分かれて位置するようにループパターン１２の外側に形成され、第１及び第２の予備接合用パッド５８，５９が相互に電気的に接合されている。これにより、第１及び第２の接合用パッド１８，１９とループパターン１２の外側の基板領域とが第１及び第２の予備接合用パッド５８，５９を介して接続される（すなわち折曲げ位置を通過せずに折曲げ位置の両側を接続する経路が形成される）こととなる。第１の予備接合用パッド５８は好ましくは延長片４１の基部に位置する。
【００３９】
本実施の形態によれば、第４の実施の形態と同様の効果を奏するとともに、第３の実施の形態と同様に、第１及び第２の接合用パッド１８，１９とループパターン１２の外側の基板領域とが第１及び第２の予備接合用パッド５８，５９を介して接続されるため、仮に片面ＦＰＣ１０の折曲げ位置で導体パターンの断線が生じても第１及び第２の接合用パッド１８，１９とループパターン１２の外側の基板領域との電気的接続は確保され、不良品発生率の低下が期待できる。
【００４０】
（第６の実施の形態）
図６(Ａ)，(Ｂ)は、本発明の第６の実施の形態に係るＲＦＩＤ用アンテナ６００の構成を示す例示的な概略斜視図である。なお、図６(Ａ)は折曲げ前の未完成状態を、同図(Ｂ)は折曲げ後の完成状態をそれぞれ示している。本実施の形態のＲＦＩＤ用アンテナ６００は、第２の実施の形態のＲＦＩＤ用アンテナ２００の構成に加え、第１及び第２の接合用パッド１８，１９の各々と所定の位置関係となるように第１及び第２の位置決め孔６１，６２（貫通孔）がそれぞれ第１及び第２の接合用パッド１８，１９の近傍に設けられ、第１及び第２の位置決め孔６１，６２の位置が一致するように折曲げ片２３が折り曲げられている。
【００４１】
本実施の形態によれば、第２の実施の形態の効果に加え、第１及び第２の位置決め孔６１，６２を設けたことにより、折曲げ片２３を折曲げて第１及び第２の接合用パッド１８，１９を接合する際の位置合わせが例えばピンの挿通や目視によって確実かつ容易にでき、信頼性を高めやすい。なお、上述の第１の実施の形態においても本実施の形態と同様に第１及び第２の位置決め孔６１，６２を形成することで、同様の効果をさらに奏することができる。
【００４２】
（第７の実施の形態）
図７(Ａ)，(Ｂ)は、本発明の第７の実施の形態に係るＲＦＩＤ用アンテナ７００の構成を示す例示的な概略斜視図である。なお、図７(Ａ)は折曲げ前の未完成状態を、同図(Ｂ)は折曲げ後の完成状態をそれぞれ示している。本実施の形態のＲＦＩＤ用アンテナ７００は、第４の実施の形態のＲＦＩＤ用アンテナ４００の構成に加え、第１及び第２の接合用パッド１８，１９の各々と所定の位置関係となるように第１及び第２の位置決め孔７１，７２（貫通孔）がそれぞれ第１及び第２の接合用パッド１８，１９の近傍に設けられ、第１及び第２の位置決め孔７１，７２の位置が一致するように延長片４１が折り曲げられている。
【００４３】
本実施の形態によれば、第４の実施の形態の効果に加え、第６の実施の形態と同様に、第１及び第２の位置決め孔７１，７２を設けたことにより、延長片４１を折曲げて第１及び第２の接合用パッド１８，１９を接合する際の位置合わせが例えばピンの挿通や目視によって確実かつ容易にでき、信頼性を高めやすい。
【００４４】
（第８の実施の形態）
図８(Ａ)，(Ｂ)は、本発明の第８の実施の形態に係るＲＦＩＤ用アンテナ８００の構成を示す例示的な概略斜視図である。なお、図８(Ａ)は切取り前の未完成状態を、同図(Ｂ)は切取り後の完成状態をそれぞれ示している。
【００４５】
本実施の形態のＲＦＩＤ用アンテナ８００は、第１の実施の形態のＲＦＩＤ用アンテナ１００と比較して、図８(Ａ)のように所定形状の開口８５が設けられて折曲げ片２３に替えて切取り片８１が形成されている点と、切取り片８１上（片面ＦＰＣ１０上）に第３及び第４の接合用パッド８３，８４が形成されて相互に接続されている点と、同図(Ｂ)のように切り取られた切取り片８１によって第１及び第２の接合用パッド１８，１９が相互に接続される点とにおいて相違し、その他の点で一致している。第１及び第２の接合用パッド１８，１９間の距離と、第３及び第４の接合用パッド８３，８４間の距離とが略等しいとよい。
【００４６】
開口８５は、図８(Ａ)のように、第３及び第４の接合用パッド８３，８４を細い連結部８７を除いて囲む形状である。なお、開口８５に替えて、幅のない切込みを設けてもよい。また、切取り片８１の形成位置は任意であり、例えば図９のように形成してもよい。連結部８７を切断することで切取り片８１は例えばカッターで容易に切取り自在である。切り取られた切取り片８１は、同図(Ｂ)のように、第１の接合用パッド１８と第３の接合用パッド８３とが当接し、かつ第２の接合用パッド１９と第４の接合用パッド８４とが当接するように配置される。この状態で第１及び第３の接合用パッド１８，８３が相互に電気的に接合され、第２及び第４の接合用パッド１９，８４が相互に電気的に接合される。本実施の形態も、第１の実施の形態と同様の効果を奏する。
【００４７】
なお、本実施の形態では、片面ＦＰＣ１０に替えて、片面硬質プリント基板を用いてもよい。片面硬質プリント基板としては、例えばガラスエポキシ基板(材質：ＦＲ４等)が適当である。片面硬質プリント基板は片面ＦＰＣのように折曲げることはできないが、本実施の形態では基板の折曲げは必要ないので、片面硬質プリント基板の使用も可能である。すなわち、本実施の形態の技術は片面ＦＰＣや片面硬質プリント基板等の片面プリント基板を用いる場合に広く適用できる。
【００４８】
以上、実施の形態を例に本発明を説明したが、実施の形態の各構成要素には請求項に記載の範囲で種々の変形が可能であることは当業者に理解されるところである。以下、変形例について触れる。
【００４９】
いずれの実施の形態においてもループパターン１２の内側にチップコンデンサ１３と、第１及び第２の接続用端子部１４，１６と、第２の接合用パッド１９とが設けられ、ループパターン１２の外側に第１の接合用パッド１８が形成される場合を例に説明したが、変形例ではループパターン１２の外側にチップコンデンサ１３と、第１及び第２の接続用端子部１４，１６と、第２の接合用パッド１９とが設けられ、ループパターン１２の内側に第１の接合用パッド１８が形成されてもよい。
【００５０】
いずれの実施の形態においても共振周波数調整用にチップコンデンサ１３を設ける場合を説明したが、共振周波数の調整が不要であればチップコンデンサ１３を設ける必要はない。この場合であっても、ループパターン１２を跨いでその内側の基板領域と外側の基板領域とを電気的に接続する必要がある限り本実施の形態は有効である。
【００５１】
第１の実施の形態では第２の接合用パッド１９をコの字状ないしＵ字状に囲むように開口２１を設けて折曲げ片２３を形成したが、変形例では第１の接合用パッド１８をコの字状ないしＵ字状に囲むように開口を設けて折曲げ片を形成してもよい。つまり、折曲げ片をループパターン１２の内側から外側に折り曲げるように構成するか外側から内側に折り曲げるように構成するかは、設計上の都合等によって適宜決められる。第２及び第３、第６の実施の形態についても同様のことがいえる。
【００５２】
第６の実施の形態のように第１及び第２の位置決め孔６１，６２を設けた構成においてさらに、第３の実施の形態のように第１及び第２の予備接合用パッド３８，３９を設けることも可能である。同様に、第７の実施の形態に第５の実施の形態の技術を加えて適用することも可能である。さらに、第６の実施の形態のように位置決め孔６１，６２を設ける技術を第８の実施の形態に適用することも可能である。
【符号の説明】
【００５３】
１０  片面ＦＰＣ
１２  ループパターン
１３  チップコンデンサ
１４  第１の接続用端子部
１６  第２の接続用端子部
１８  第１の接合用パッド
１９  第２の接合用パッド
２１  開口
２２  切込み
２３  折曲げ片
４１  延長片
８１  切取り片
８３  第３の接合用パッド
８４  第４の接合用パッド
８５  開口
８７  連結部
１００、２００、・・・、８００  ＲＦＩＤ用アンテナ
【図１】
2010063081.tif 000003
【図２】
2010063081.tif 000004
【図３】
2010063081.tif 000005
【図４】
2010063081.tif 000006
【図５】
2010063081.tif 000007
【図６】
2010063081.tif 000008
【図７】
2010063081.tif 000009
【図８】
2010063081.tif 000010
【図９】
2010063081.tif 000011
【図１０】
2010063081.tif 000012